(57)【要約】【課題】ベッドと机等の複数の家具を複合化し、同一の設置空間に複数の機能を備えさせて、省スペース化を図るとともに、各機能の家具は本来の使用利便性を確保しつつ、それらを複合化したことによる新たな使用態様を実現できるベッドと机の組合せ家具を提供する。【解決手段】上段をベッド部１とするとともに、下段を作業空間部２とし、該作業空間部に机３を配してなるベッドと机の組合せ家具であって、ベッド部の四隅を支持する４本の支柱６のうち、正面側の一対の支柱間を開放部７とし、他の支柱間を上下に間隔を置いて複数の横桟８で連結するとともに、横桟を利用して棚板９等のオプションを係止可能としてなる。【選択図】　　　　図１
2004024425.tif 000002
【特許請求の範囲】
【請求項１】
上段をベッド部とするとともに、下段を作業空間部とし、該作業空間部に机を配してなるベッドと机の組合せ家具であって、前記ベッド部の四隅を支持する４本の支柱のうち、正面側の一対の支柱間を開放部とし、他の支柱間を上下に間隔を置いて複数の横桟で連結するとともに、該横桟を利用して棚板等のオプションを係止可能としてなることを特徴とするベッドと机の組合せ家具。
【請求項２】
前記作業空間部の開放部の一部又は全部を覆い隠すことが可能な遮蔽板体を開閉可能に設けてなる請求項１又は２記載のベッドと机の組合せ家具。
【請求項３】
前記遮蔽板体の一側端を、前記開放部に対応する一方の支柱に、直接的又は間接的に水平回動可能に蝶着してなる請求項２記載のベッドと机の組合せ家具。
【請求項４】
前記遮蔽板体を、複数の構成板体を屈曲可能に連設して構成し、一側端に位置する構成板体の側端を、前記開放部に対応する一方の支柱に、直接又は連結部材を介して水平回動可能に蝶着するとともに、各構成板体の連結部及び遊端側に位置する構成板体の側端部の下端にキャスターを設けてなる請求項２記載のベッドと机の組合せ家具。
【発明の詳細な説明】
【０００１】
【発明の属する技術分野】
本発明は、ベッドと机の組合せ家具に係わり、更に詳しくはベッドの下段に設けた作業空間部に机を配置したベッドと机の組合せ家具に関するものである。
【０００２】
【従来の技術】
従来、二段式ベッドにおいて、少なくとも一側面側の開放部を扉体で開閉可能に覆った構造のものは提案されている。また、上段をベッド部とし、下段に書卓とタンスを配してなるベッドと机の組合せ家具も提案されている。
【０００３】
しかし、従来のベッドと机の組合せ家具において、下段の空間に書卓を設けるものはあるが、この書卓は簡易構造の机であり、ベッドの下段の空間に使用者が完全に入って勉強等の作業を集中してできるものではなかった。また、ベッドの開放部に開閉可能に扉体を設けるものはあるが、この扉体はあくまでも下段ベッドで寝る場合にプライバシーを確保する目的で設けられたものである。
【０００４】
ところで、ベッドは非常に大きな設置空間を必要とするので、二人以上の子供がいる家庭では二つのベッドを一つにまとめた二段式ベッドが使用されることが多い。また、１人の子供が一部屋又は間仕切られた特定の空間を占有する場合には、一段式ベッドが設置され、また机も設置されている。この場合、非常に大きな空間を必要とし、室内又は特定の空間が極端に狭くなる。
【０００５】
【発明が解決しようとする課題】
本発明が前述の状況に鑑み、解決しようとするところは、ベッドと机等の複数の家具を複合化し、同一の設置空間に複数の機能を備えさせて、省スペース化を図るとともに、各機能の家具は本来の使用利便性を確保しつつ、それらを複合化したことによる新たな使用態様を実現できるベッドと机の組合せ家具を提供する点にある。
【０００６】
【課題を解決するための手段】
本発明は、前述の課題解決のために、上段をベッド部とするとともに、下段を作業空間部とし、該作業空間部に机を配してなるベッドと机の組合せ家具であって、前記ベッド部の四隅を支持する４本の支柱のうち、正面側の一対の支柱間を開放部とし、他の支柱間を上下に間隔を置いて複数の横桟で連結するとともに、該横桟を利用して棚板等のオプションを係止可能としてなるベッドと机の組合せ家具を構成した。
【０００７】
ここで、前記作業空間部の開放部の一部又は全部を覆い隠すことが可能な遮蔽板体を開閉可能に設けてなることが好ましい。具体的には、前記遮蔽板体の一側端を、前記開放部に対応する一方の支柱に、直接的又は間接的に水平回動可能に蝶着してなるのである。
【０００８】
そして、前記遮蔽板体を、複数の構成板体を屈曲可能に連設して構成し、一側端に位置する構成板体の側端を、前記開放部に対応する一方の支柱に、直接又は連結部材を介して水平回動可能に蝶着するとともに、各構成板体の連結部及び遊端側に位置する構成板体の側端部の下端にキャスターを設けてなることがより好ましい。
【０００９】
【発明の実施の形態】
次に本発明の実施の形態を添付図面に基づき更に詳細に説明する。図１及び図２は、本発明に係るベッドと机の組合せ家具を示し、図中符号１はベッド部、２は作業空間部、３は机、４は書棚、５は遮蔽板体をそれぞれ示している。
【００１０】
本発明に係るベッドと机の組合せ家具は、上段をベッド部１とするとともに、下段を作業空間部２とし、該作業空間部２に机３を配してなるベッドと机の組合せ家具であって、前記ベッド部１の四隅を支持する４本の支柱６，…のうち、正面側の一対の支柱６，６間を開放部７とし、他の支柱６，６間を上下に間隔を置いて複数の横桟８，…で連結するとともに、該横桟８を利用して棚板９等のオプションを係止可能としてなることを特徴としている。
【００１１】
更に詳しくは、前記ベッド部１は、四隅を４本の支柱６，…で支持され、床部材１０を有するとともに、周囲に柵１１，…を有する構造となっており、通常の二段式ベッドにおける上段ベッドと同様な高さを有するものである。ここで、前記各支柱６は、後述のように上下に分離可能であり、分離した上部をベッド部１を単独で使用する場合の脚部となるのである。前記ベッド部１の下方は、作業空間部２となっており、図示した例では平面視長方形の長辺側の一側面を開放部７としている。この作業空間部２の天井は、前記床部材１０の下面で形成されるので、前記床部材１０の下面は凹凸がなく、綺麗に仕上げられている。
【００１２】
前記作業空間部２には、机３と書棚４とを設置している。本実施形態では、前記机３と書棚４とはそれぞれ独立して使用できる通常構造のものであり、机３の天板１２の高さは約７０ｃｍに設定し、また机３と書棚４の横幅は、平面視長方形の作業空間部２の短辺側の寸法に略一致させ、それぞれ短辺側の端に寄せて設置している。ここで、前記机３と書棚４との間には、椅子を配置するのに十分な空間を確保している。
【００１３】
前記横桟８は、板材で構成し、少なくとも一枚は、その側面が前記机３の天板１２の上面と交差する高さに設定し、前記机３の天板１２と横桟８とを接触させた状態で該机３を作業空間部２に設置した場合には、該横桟８が天板１２の上面に置いた筆記用具などの物品の落下防止用の働きをするのである。そして、当該横桟８を利用して棚板９等のオプションを係止するには、各種の係止構造を採用できる。図示した例は、金属棒を屈曲して形成した係止金具１４，１４を前記横桟８の上縁に係止し、両係止金具１４，１４で棚板９を水平に支持する構造である。また、他のオプションとしては、前記横桟８を利用してキャンパス地等のシートで作成した状差し１５や、掲示板、花瓶などがある。
【００１４】
また、前記開放部７を設けた以外の支柱６，６間には、上下に間隔を置いて複数の横桟８，…を平行に渡設している。また、前記開放部７側の一側部で、前記書棚４に対応する位置に、前記ベッド部１に対して乗り降りするための梯子１３を設けている。尚、前記梯子１３は、位置変更可能となっている。
【００１５】
そして、図１〜図３に示すように、前記作業空間部２の開放部７の一部又は全部を覆い隠すことが可能な遮蔽板体５を開閉可能に設けている。具体的には、前記遮蔽板体５の一側端を、前記開放部７に対応する一方の支柱６に、連結部材５Ａを介して水平回動可能に蝶着している。更に、前記遮蔽板体５を、複数の構成板体１６，１７を屈曲可能に連設して構成し、一側端に位置する構成板体１６の側端を、前記開放部７に対応する一方の支柱６に着脱可能に取付けた連結部材５Ａに、蝶番５Ｂ，…にて水平回動可能に蝶着するとともに、各構成板体１６，１７の連結部及び遊端側に位置する構成板体１７の側端部の下端にキャスター１８，１８を設けている。勿論、前記遮蔽板体５の構成板体１６の側端を、前記支柱６に直接的に蝶番５Ｂ，…にて水平回動可能に蝶着するこのも可能である。しかし、前記遮蔽板体５を設ける、設けないは、使用者の好みにもよるので、前記連結部材５Ａを介して支柱６に取付けるようにすることが好ましい。
【００１６】
ここで、前記各構成板体１６，１７は、同一構造のものであり、本実施形態では、左右に配した縦枠１９，１９の上下端間に横枠２０，２０を渡設するとともに、中間部間に中枠２１を渡設し、上下の横枠２０，２０間にスクリーン２２を張設した構造となっている。しかし、この構成板体１６，１７の構造は、前述のものに限定されるものではなく、各種構造のものを採用し得るのであり、構成板体の枚数も任意である。そして、本実施形態では、各構成板体１６，１７の連結部は、隣接する構成板体１６，１７を重合状態に折り畳めるように、３６０度の任意の屈曲角度にできる蝶番２３，２３で連結している。
【００１７】
尚、前記遮蔽板体５を、前記開放部７に沿ってスライドさせて開閉する構造でも良い。その場合には、前記開放部７にレールを配設し、前記遮蔽板体５の各構成板体を該レールにスライド移動可能に吊支するようにしても良い。勿論、前述の屈曲可能に連結した複数の構成板体１６，１７からなる遮蔽板体５を、開放部７の左右の支柱６，６にそれぞれ蝶番にて取付け、該開放部７の略全域を開閉できるようにしても良い。
【００１８】
図４〜図７は、前記遮蔽板体５を、各種態様に設定した状態を示している。先ず、図４は、前記遮蔽板体５の各構成板体１６，１７を直線状にし、開放部７に沿って配置し、前記机３の側部を隠蔽した態様である。この場合、机３の前に座っている使用者の視線が遮られるので、勉強や作業に集中することができる。また、この態様は、作業空間部２を使用しない場合にも対応する。また、この態様で、遊端側の構成板体１７を支柱６に蝶着した側の構成板体１６の外面に重ねて、幅の狭い目隠しとすることも可能である。
【００１９】
次に、図５は、前記遮蔽板体５の各構成板体１６，１７を直線状にし、開放部７に対して直角に配置し、そして机３の天板１２下から引き出した袖ワゴン２４を該机３の側部に設置した態様である。この態様は、開放的な雰囲気で使用でき、また机３を広く使用できるのである。
【００２０】
また、図６は、図５に示した態様で、遊端側の構成板体１７を基端側の構成板体１６に対して直角に曲げて配置し、前記袖ワゴン２４を側部を部分的に覆うとともに、机３の前に座った使用者の視線を一部遮るようにした態様である。
【００２１】
そして、図７は、図４に示した態様から、前記遮蔽板体５の各構成板体１６，１７を直線状にしたまま、９０度以内の角度に設定した態様であり、この態様は作業空間部２を広くやや開放的にするとともに、勉強や作業に対する集中力も高め得るようにしたものである。
【００２２】
次に、各部の詳細を図８〜図１３に基づいて説明する。図８は、前記支柱６を下支柱６Ａと上支柱６Ｂとに分割し、互いに上下に突き合わせた状態で連結する構造を示している。つまり、前記下支柱６Ａの上端面にダボ２５，２５を突設するとともに、前記上支柱６Ｂの下端面に該ダボ２５，２５を受入れる係合穴２６，２６を形成し、前記ダボ２５，２５を係合穴２６，２６に係合して下支柱６Ａと上支柱６Ｂとを上下に突き合わせた状態で、断面略コ字形の連結金具２７を下支柱６Ａと上支柱６Ｂに跨って外嵌し、側面からボルト２８、ナット２９でそれぞれ下支柱６Ａと上支柱６Ｂに連結する。ここで、前記連結金具２７を外嵌する下支柱６Ａと上支柱６Ｂの部分には、段落ち部３０をそれぞれ形成し、前記連結金具２７を外嵌したときに、支柱６の外形から該連結金具２７が突出しないようにしている。また、前記ボルト２８、ナット２９の代わりに、前記下支柱６Ａと上支柱６Ｂの側面にオニメナットを埋設しておき、前記連結金具２７を連結するネジをオニメナットに螺合するようにしても良い。
【００２３】
また、図９は、前記支柱６に横桟８を連結する構造を示している。ここで、短辺側、即ち左右の前後に位置する一対の支柱６，６は、予め横桟８や柵１１を固定的に連結して一体化し、それから左右の後部支柱６，６間を長辺側の横桟８で連結するようにしている。従って、短辺側の横桟８と前後の支柱６，６とはダボ３１と接着剤を用いて常法通り固定する。また、長辺側の横桟８と左右の支柱６，６とは、締結具３２を用いて着脱可能に連結する。つまり、前記締結具３２は、円柱体に直径方向に雌ねじを切ったナット部材３２Ａと長尺のネジ部材３２Ｂとからなる。そして、前記横桟８の端部側面から内部に向かって前記ナット部材３２Ａを埋設する凹部３３を形成するとともに、端面から該凹部３３に連通する通孔３４Ａを形成し、一方、前記支柱６に内外に貫通する貫通孔３４Ｂを形成し、支柱６の貫通孔３４Ｂに外側から貫通させたネジ部材３２Ｂを、横桟８の通孔３４Ａを通して凹部３３内のナット部材３２Ａに螺合し、前記支柱６の側面に横桟８の端面をＴ字状に接合した状態で締結するのである。
【００２４】
また、図１０は、前記梯子１３の各ステップ３５の上面に、蛍石の粉砕物等の蓄光剤、或いは通常の蛍光剤を配合した発光シート３６を埋設し、暗がりの中でもステップ３５を踏み外さないようにしている。また、前記発光シート３６に滑り止めの機能を持たせることも好ましい。
【００２５】
しして、図１１は、オプションとしての棚板９を保持する係止金具１４を示している。この係止金具１４は、金属棒を屈曲して上部に前記横桟８の上縁に係止するフック部１４Ａを形成するとともに、その下方に側面視略直角三角形状の支持部１４Ｂを形成し、該支持部１４Ｂの水平な底部に前記棚板９を内嵌して一体化している。ここで、前記棚板９の前端に形成した係合凹部９Ａに、係止金具１４の支持部１４Ｂの一部を係合させることにより、横ズレを防止して、棚板９を係止金具１４に簡単且つ強固に組付けることができるのである。
【００２６】
また、図１２は、前記作業空間部２の天井に相当する床部材１０の下面に設ける収納ネット３７を示し、該収納ネット３７の四隅をピン３７Ａで固定するとともに、４辺縁を弾性材３７Ｂで張設したものである。ここで、物品を収納するには、収納ネット３７の何れかの辺縁の弾性材３７Ｂを引き下げ、床部材１０の下面との間に隙間を作って収納ネット３７の上面側に載せるのであり、それから手を離すと弾性材３７Ｂが復元して隙間が無くなる。
【００２７】
また、図１３は、前記机３の側面に設けたハンガー３８を示している。このハンガー３８は、金属棒の両端部を潰し、その部分に取付孔３８Ａを形成し、中間部を屈曲して係止部３８Ｂを形成したものであり、前記机３の側面には、前記取付孔３８Ａ，３８Ａを利用してネジ止めしている。そして、このハンガー３８の係止部３８Ｂには、フック３９，…を装着し、該フック３９でランドセル等を吊支できるようにしている。
【００２８】
次に、図１４及び図１５に基づいて本発明の第２実施形態を説明する。本実施形態は、前記作業空間部２に机と書棚とが連係した構造の書棚付き机４０を配置したものである。この書棚付き机４０は、天板４１の一側端を書棚４２で支持するとともに、該天板４１の他側部を脚板４２で支持した構造であり、全体の横幅は前記作業空間部２の長辺側の寸法と略一致させている。つまり、使用者は、開放部７側に背を向けて着座するようになる。この場合も、前記天板４１の側縁に前記横桟８の何れかがＴ字状に接合し、天板４１上の物品の落下を防止するようにするため、前記天板４１の両側後端部に前記書棚４２の側板の板厚に相当する切欠部４３，４３を形成している。ここで、一方の切欠部４３は書棚４２との連結に利用するが、他方の切欠部４３は、前記横桟８及び支柱６との間に上下貫通した開口が形成するので、この開口をコード挿通孔として利用する。また、前記開放部７の一部を前記同様に遮蔽板体５で覆うように、一方の支柱６に回動可能に蝶着している。
【００２９】
【発明の効果】
以上にしてなる請求項１に係る発明のベッドと机の組合せ家具は、上段をベッド部とするとともに、下段を作業空間部とし、該作業空間部に机を配してなるベッドと机の組合せ家具であって、前記ベッド部の四隅を支持する４本の支柱のうち、正面側の一対の支柱間を開放部とし、他の支柱間を上下に間隔を置いて複数の横桟で連結するとともに、該横桟を利用して棚板等のオプションを係止可能としてなるので、同一の設置空間に少なくともベッドと机の機能を備えさせて、省スペース化を図ることができるとともに、各機能の家具は本来の使用利便性を確保しつつ、それらを複合化したことによって、ベッドを支持するための支柱に渡設した横桟を、棚板等のオプションを係止するために利用するといった新たな使用態様を実現できるのである。
【００３０】
請求項２によれば、作業空間部の開放部の一部又は全部を遮蔽板体で覆い隠すことにより、勉強や作業に集中できる環境を作ることができ、また遮蔽板体を開放することで開放した環境を作ることができる。
【００３１】
請求項３によれば、遮蔽板体の開放角度を、そのときの気分や机での作業の種類に応じて任意に設定し、異なる使用環境を創出することができる。
【００３２】
請求項４によれば、遮蔽板体の形態に対する自由度が増し、使用目的に応じて作業空間部を覆い隠す態様や開放させる態様を実現することができる。
【図面の簡単な説明】
【図１】本発明に係るベッドと机の組合せ家具の斜視図である。
【図２】同じく正面図である。
【図３】遮蔽板体の斜視図である。
【図４】隠蔽板体で開放部の一部を覆い隠した態様の斜視図である。
【図５】隠蔽板体を開放した態様の斜視図である。
【図６】隠蔽板体の構成板体を屈曲させた態様の斜視図である。
【図７】隠蔽板体を所定角度開放した態様の斜視図である。
【図８】上支柱と下支柱の連結部の構造を示す分解斜視図である。
【図９】支柱と横桟との連結構造を示す部分横断面図である。
【図１０】梯子の部分縦断面図である。
【図１１】棚板を支持する係止金具を示す斜視図である。
【図１２】収納ネットの平面図である。
【図１３】係止金具の斜視図である。
【図１４】本発明に係るベッドと机の組合せ家具の第２実施形態を示す正面図である。
【図１５】同じく横断面図である。
【符号の説明】
１　ベッド部　　　　　２　作業空間部
３　机　　　　　　　　４　書棚
５　遮蔽板体　　　　　６　支柱
６Ａ　下支柱　　　　　６Ｂ　上支柱
７　開放部　　　　　　８　横桟
９　棚板　　　　　　　１０　床部材
１１　柵　　　　　　　１２　天板
１３　梯子　　　　　　１４　係止金具
１４Ａ　フック部　　　１４Ｂ　支持部
１６　構成板体　　　　１７　構成板体
１８　キャスター　　　１９　縦枠
２０　横枠　　　　　　２１　中枠
２２　スクリーン　　　２３　蝶番
２４　袖ワゴン　　　　２５　記ダボ
２６　係合穴　　　　　２７　連結金具
２８　ボルト　　　　　２９　ナット
３０　段落ち部　　　　３１　ダボ
３２　締結具　　　　　３２Ａ　ナット部材
３２Ｂ　ネジ部材　　　３３　凹部
３４Ａ　通孔　　　　　３４Ｂ　貫通孔
３５　ステップ　　　　３６　発光シート
３７　収納ネット　　　３７Ａ　ピン
３７Ｂ　弾性材　　　　３８　ハンガー
３８Ａ　取付孔　　　　３８Ｂ　係止部
３９　フック　　　　　４０　書棚付き机
４１　天板　　　　　　４２　書棚
４２　脚板　　　　　　４３　切欠部
【図１】
2004024425.tif 000003
【図２】
2004024425.tif 000004
【図３】
2004024425.tif 000005
【図４】
2004024425.tif 000006
【図５】
2004024425.tif 000007
【図６】
2004024425.tif 000008
【図７】
2004024425.tif 000009
【図８】
2004024425.tif 000010
【図９】
2004024425.tif 000011
【図１０】
2004024425.tif 000012
【図１１】
2004024425.tif 000013
【図１２】
2004024425.tif 000014
【図１３】
2004024425.tif 000015
【図１４】
2004024425.tif 000016
【図１５】
2004024425.tif 000017